【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
画像データに基づく光ビームを感光ドラム上に主走査方向に走査させることで画像を形成する電子写真方式の画像形成装置であって、
主走査方向の基準位置における入力階調値に対する出力濃度を表す第一の補正特性を取得する第一の取得手段と、
前記主走査方向の基準位置における出力濃度に対する前記主走査方向の所定の位置における出力濃度の相対関係を表す第二の補正特性を取得する第二の取得手段と、
前記取得した第一の補正特性と前記第二の補正特性とに基づいて、前記主走査方向の所定の位置に対応する前記画像データを補正する補正手段と
を有することを特徴とする画像形成装置。
【請求項２】
前記第二の取得手段は、前記画像データの画素の位置を判定し、前記画素の位置に対応する第二の補正特性を取得することを特徴とする請求項１に記載の画像形成装置。
【請求項３】
さらに、前記主走査方向の基準位置における出力濃度に対する前記主走査方向の所定の位置における出力濃度の相対関係を表す第二の補正特性を保持する保持手段を有し、
前記第二の取得手段は、前記保持手段が保持する複数の第二の補正特性のうち、処理対象とする画像データの位置に対応する第二の補正特性を取得することを特徴とする請求項１または２に記載の画像形成装置。
【請求項４】
前記第二の補正特性は、主走査方向に対して均一の階調値のパッチであり、副走査方向に対して階調値を異ならせたパッチを含む第二のパッチ画像を読み取る読み取り手段をさらに有し、
前記読み取り手段で読み取った前記第二のパッチ画像の前記基準位置における濃度と前記所定の位置における濃度とを用いて前記第二の補正特性を導出する第二の導出手段をさらに有することを特徴とする請求項１から３のいずれか一項に記載の画像形成装置。
【請求項５】
前記基準位置に形成された第一のパッチ画像の濃度を測定する測定手段をさらに有し、
前記測定手段で測定された濃度と目標とする濃度とを用いて前記第一の補正特性を導出する第一の導出手段をさらに有することを特徴とする請求項１から４のいずれか一項に記載の画像形成装置。
【請求項６】
前記補正手段は、予め定めた所定の位置の間に位置する画素の第二の補正特性を、前記画素に隣接する前記所定の位置の第二の補正特性に基づいて補間することにより算出することを特徴とする請求項１から５のいずれか一項に記載の画像形成装置。
【請求項７】
前記補正手段は、前記画像データを前記第一の補正特性を用いて補正し、補正後のデータを前記第二の補正特性を用いて補正することを特徴とする請求項１から６のいずれか一項に記載の画像形成装置。
【請求項８】
前記補正手段は、前記画像データを前記第二の補正特性を用いて補正し、補正後のデータを前記第一の補正特性を用いて補正することを特徴とする請求項１から６のいずれか一項に記載の画像形成装置。
【請求項９】
前記測定手段は、中間転写材に形成された前記第一のパッチ画像の濃度を測定することを特徴とする請求項５に記載の画像形成装置。
【請求項１０】
前記第一の補正特性を保持する第一の保持手段をさらに有し、
前記第一の導出手段は、導出した第一の補正特性を用いて前記第一の保持手段で保持されている第一の補正特性を更新することを特徴とする請求項５に記載の画像形成装置。
【請求項１１】
前記読み取り手段は、記録媒体に印刷された前記第二のパッチ画像を読み取ることを特徴とする請求項４に記載の画像形成装置。
【請求項１２】
前記第二の補正特性を保持する第二の保持手段をさらに有し、
前記第二の導出手段は、導出した第二の補正特性を用いて前記第二の保持手段で保持されている第二の補正特性を更新することを特徴とする請求項４に記載の画像形成装置。
【請求項１３】
前記補正手段は、前記第一の補正特性を、複数のスクリーン種別に対応した複数の第一の補正特性の中から選択的に適用することを特徴とする請求項１から１２のいずれか一項に記載の画像形成装置。
【請求項１４】
画像データに基づく光ビームを感光ドラム上に主走査方向に走査させることで画像を形成する電子写真方式の画像形成装置における濃度補正方法であって、
主走査方向の基準位置における入力階調値に対する出力濃度を表す第一の補正特性を取得する第一の取得ステップと、
前記主走査方向の基準位置における出力濃度に対する前記主走査方向の所定の位置における出力濃度の相対関係を表す第二の補正特性を取得する第二の取得ステップと、
前記取得した第一の補正特性と前記第二の補正特性とに基づいて前記画像データを補正する補正ステップと
を有することを特徴とする画像形成装置の濃度補正方法。
【請求項１５】
コンピュータを、請求項１から１３のいずれか一項に記載の画像形成装置の各手段として機能させるためのプログラム。
【手続補正２】
【補正対象書類名】明細書
【補正対象項目名】０００９
【補正方法】変更
【補正の内容】
【０００９】
【図１】第１実施形態における画像形成装置の構成を示すブロック図である。
【図２】第１実施形態における通常印刷モードを説明するフローチャートである。
【図３】第１実施形態における基準ガンマ補正特性保持部を説明する図である。
【図４】第１実施形態における基準ガンマ補正特性を説明するグラフである。
【図５】第１実施形態における相対ガンマ補正特性保持部を説明する図である。
【図６】第１実施形態における相対ガンマ補正特性を説明するグラフである。
【図７】第１実施形態における光学特性と出力濃度との関係を説明する図である。
【図８】第１実施形態における光学特性と入出力特性の関係を説明するグラフである。
【図９】第１実施形態における光学特性とトナー像との関係を説明する図である。
【図１０】第１実施形態における濃度変動検出モードの構成を示す図である。
【図１１】第１実施形態における濃度変動検出モードを説明するフローチャートである。
【図１２】第１実施形態における状態変動と入出力特性の関係を説明するグラフである。
【図１３】第１実施形態における状態変動とトナー像との関係を説明する図である。
【図１４】第１実施形態における光学特性と状態変動と入出力特性の関係を説明するグラフである。
【図１５】第１実施形態における画像読み取り部の構成を示す図である。
【図１６】第１実施形態における相対ガンマ特性検出モードを説明するフローチャートである。
【図１７】第１実施形態における階調パッチ画像データを示すイメージ図である。
【図１８】第１実施形態における相対ガンマ補正特性を算出する方法を説明するための図である。
【手続補正３】
【補正対象書類名】明細書
【補正対象項目名】００５６
【補正方法】変更
【補正の内容】
【００５６】
図１１は濃度変動検出モード時の画像形成装置１の動作を示すフローチャートである。図１１の処理は画像形成装置１内部の不図示の記憶部に記憶されているプログラムを不図示のＣＰＵが読み出して実行することにより実現される。
【手続補正４】
【補正対象書類名】明細書
【補正対象項目名】００６２
【補正方法】変更
【補正の内容】
【００６２】
次に、ステップＳ１１０６において濃度変動検出部１１３は、ステップＳ１１０５で作成した新たな基準ガンマ補正特性で基準ガンマ補正特性保持部１１４に保持されている基準ガンマ補正特性を更新し、濃度変動検出モードは終了する。